(57)【要約】【課題】光沢性及び写像性に優れ、見た目の光沢感が高い画像が得られる水性インクの提供。【解決手段】Ｃ．Ｉ．ピグメントグリーン５８、水溶性有機溶剤Ａ、及び水溶性有機溶剤Ｂを含有するインクジェット用の水性インクである。水溶性有機溶剤Ａが、１，２−アルカンジオールであり、水溶性有機溶剤Ｂが、２−ピロリドン、エチレン尿素及びスクシンイミドからなる群より選ばれる少なくとも１種である。【選択図】なし【特許請求の範囲】
【請求項１】
Ｃ．Ｉ．ピグメントグリーン５８、水溶性有機溶剤Ａ、及び水溶性有機溶剤Ｂを含有するインクジェット用の水性インクであって、
前記水溶性有機溶剤Ａが、１，２−アルカンジオールであり、
前記水溶性有機溶剤Ｂが、２−ピロリドン、エチレン尿素及びスクシンイミドからなる群より選ばれる少なくとも１種であることを特徴とする水性インク。
【請求項２】
前記水溶性有機溶剤Ａの含有量（質量％）が、インク全質量を基準として、１．０質量％以上１５．０質量％以下である請求項１に記載の水性インク。
【請求項３】
前記水溶性有機溶剤Ａが、１，２−ヘキサンジオールである請求項１又は２に記載の水性インク。
【請求項４】
インク全質量を基準とした、前記水溶性有機溶剤Ｂの含有量が、前記Ｃ．Ｉ．ピグメントグリーン５８の含有量に対する質量比率で１．０倍以上８．０倍以下である請求項１乃至３のいずれか１項に記載の水性インク。
【請求項５】
前記水溶性有機溶剤Ｂが、２−ピロリドン及びエチレン尿素の少なくとも一方である請求項１乃至４のいずれか１項に記載の水性インク。
【請求項６】
インクと、前記インクを収容するインク収容部とを備えたインクカートリッジであって、
前記インクが、請求項１乃至５のいずれか１項に記載の水性インクであることを特徴とするインクカートリッジ。
【請求項７】
インクをインクジェット方式の記録ヘッドから吐出させて記録媒体に画像を記録するインクジェット記録方法であって、
前記インクが、請求項１乃至５のいずれか１項に記載の水性インクであることを特徴とするインクジェット記録方法。
【発明の詳細な説明】
【技術分野】
【０００１】
本発明は、インクジェット用の水性インク、インクカートリッジ、及びインクジェット記録方法に関する。
【背景技術】
【０００２】
インクジェット記録方法によって記録される画像の耐光性、耐ガス性、及び耐水性などの堅牢性を優れたものとするために、色材として顔料を含有する顔料インクが用いられるようになっている。しかしながら、顔料インクを用いた場合には、色材として染料を含有する染料インクを用いた場合と比較して、光沢紙などの記録媒体に記録した画像の光沢性が不十分であるという課題がある。
【０００３】
また、色再現領域の拡大を図るべく、シアン、マゼンタ、及びイエローの減法混色の基本３原色のインクに加えて、レッド、グリーン、ブルー、オレンジ、及びバイオレットなどのいわゆる特色インクを利用することがある。特色インクのなかで、イエロー及びシアンにより表現される色再現領域をより拡大することが可能なグリーンインクとして、Ｃ．Ｉ．ピグメントグリーン３６や５８を含有するインクが提案されている（特許文献１及び２参照）。
【０００４】
一方、顔料インクを用いて光沢紙に記録して得られる画像の光沢性には未だ改善の余地がある。顔料は粒径を有する粒子であり、光沢紙に顔料を含有するインクが付与されると、記録媒体のインク受容層の表面上やその近傍に顔料が定着することになる。このため、記録媒体のインクが付与された領域は、インクが付与されていない領域と比較して平滑性が相対的に低下するので、得られる画像の光沢性が低下する。基本色インクに加えて特色インクを採用する理由は、特に高品位な画像の記録を達成しようとするためであるので、特色インクで記録した画像の光沢性の改善は重要な課題である。
【０００５】
従来、記録媒体の表面に形成されたインクのドットの平滑性を高めて画像の光沢性を向上するために、インクに１，２−アルカンジオールやグリコールエーテルなどの浸透性の水溶性有機溶剤を含有させる提案がある（特許文献３参照）。また、上述の特許文献１にも、Ｃ．Ｉ．ピグメントグリーン３６及びグリコールエーテルを含有するインクにより、画像の光沢性を向上可能であることが開示されている。
【先行技術文献】
【特許文献】
【０００６】
【特許文献１】特開２００８−０３１４６９号公報
【特許文献２】特開２００９−２２７８１３号公報
【特許文献３】特開２００５−１９４５００号公報
【発明の概要】
【発明が解決しようとする課題】
【０００７】
グリーンの色相を有し、インクジェット記録に用いられる顔料としては、フタロシアニン骨格のベンゼン環に塩素や臭素などのハロゲン原子が置換した顔料が一般的である。ハロゲン原子が置換していないフタロシアニン顔料はシアンの色相であるが、フタロシアニン骨格へのハロゲン原子の置換数が多くなるほどその色相はグリーンに近づいていく。グリーン顔料のなかでも、亜鉛フタロシアニン顔料であるＣ．Ｉ．ピグメントグリーン５８は、銅フタロシアニン顔料であるＣ．Ｉ．ピグメントグリーン３６に比べて、色再現領域が広く、着色力が強いことが知られている。さらに、Ｃ．Ｉ．ピグメントグリーン５８は、顔料の透明性が高いため、得られる画像の光沢性を向上できることが期待されている。
【０００８】
本発明者らは、Ｃ．Ｉ．ピグメントグリーン５８を含有するインクについて、近年要求される優れたレベルの画像の光沢性の満足するために、該インクに１，２−アルカンジオールなどの浸透性の水溶性有機溶剤を添加し、画像の光沢性の評価を行った。その結果、顔料としてＣ．Ｉ．ピグメントグリーン５８を用いた場合、１，２−アルカンジオールなどの光沢性向上に有利である浸透性の水溶性有機溶剤を使用しても、画像の光沢性がかえって低下する場合があることがわかった。
【０００９】
さらに、顔料インクを用いて光沢紙などの記録媒体に記録した画像について、見た目の光沢感を向上するためには、グロス値として一般的に表される光沢性を高めるだけでなく、画像に像を映したときの像の鮮鋭度をも高めることが重要である。像の鮮鋭度は、写像性として評価され、写像性が低い場合は像がぼやけて見え、写像性が高い場合は像がくっきり見える。
【００１０】
したがって、本発明の目的は、光沢性及び写像性に優れ、見た目の光沢感が高い画像が得られる水性インク、この水性インクを用いたインクカートリッジ及びインクジェット記録方法を提供することにある。
【課題を解決するための手段】
【００１１】
上記の目的は、以下に示す本発明によって達成される。すなわち、本発明の水性インクは、Ｃ．Ｉ．ピグメントグリーン５８、水溶性有機溶剤Ａ、及び水溶性有機溶剤Ｂを含有するインクジェット用の水性インクであって、前記水溶性有機溶剤Ａが、１，２−アルカンジオールであり、前記水溶性有機溶剤Ｂが、２−ピロリドン、エチレン尿素及びスクシンイミドからなる群より選ばれる少なくとも１種であることを特徴とする。
【発明の効果】
【００１２】
本発明によれば、光沢性及び写像性に優れ、見た目の光沢感が高い画像が得られる水性インク、この水性インクを用いたインクカートリッジ及びインクジェット記録方法を提供することができる。
【発明を実施するための形態】
【００１３】
以下、好適な実施の形態を挙げて本発明を詳細に説明する。なお、本明細書の記載における「Ｃ．Ｉ．」は、「カラーインデックス」の略語である。また、「インクジェット用の水性インク」のことを単に「インク」と記載することがある。
【００１４】
上述の通り、特許文献１には、Ｃ．Ｉ．ピグメントグリーン３６とグリコールエーテルとを含有するインクが開示されている。本発明者らは、このインクの組成を、特許文献２に記載されたＣ．Ｉ．ピグメントグリーン５８と特許文献３において画像の光沢性向上に有利であるとされている１，２−アルカンジオールに代え、画像の光沢性と写像性の評価を行った。その結果、予想に反して、画像の光沢性が特に大きく低下し、写像性も低いという結果となった。本発明者らはこの理由を、以下のように推測している。
【００１５】
顔料は、静電気力、分子間力、毛管力などの種々の相互作用により分子が集合して形成された粒子である。そして、Ｃ．Ｉ．ピグメントグリーン３６や５８はフタロシアニン骨格を持つ複素環化合物であり、π電子共役系が分子全体に広がった平面構造を有している。このため、平面間に働くπ−π相互作用が、粒子の形成に大きな役割を果たしている。ここで、亜鉛フタロシアニン顔料であるＣ．Ｉ.ピグメントグリーン５８を構成する分子の中心金属である亜鉛と、銅フタロシアニン顔料であるＣ．Ｉ.ピグメントグリーン３６を構成する分子の中心金属である銅について、それぞれの電子配置に着目する。亜鉛の原子核の陽子数は、銅の原子核の陽子数よりも多い。このため、亜鉛フタロシアニン骨格の亜鉛は、銅フタロシアニン骨格の銅よりも複素環のπ電子に強く影響し、π電子を束縛している。π−π相互作用はロンドン分散力であり、より分極しやすいものほど相互作用が強くなる。このため、陽子数が多い亜鉛を中心金属とする亜鉛フタロシアニン骨格の方が、銅フタロシアニン骨格よりも分極しにくく、π−π相互作用が弱い。特に、嵩高い塩素や臭素がフタロシアニン環に導入されているＣ．Ｉ．ピグメントグリーン５８は、複素環同士のπ−π相互作用が阻害されていると考えられる。
【００１６】
次に、１，２−アルカンジオールに注目する。１，２−アルカンジオールは、アルキル鎖の一方の末端にのみ親水性基であるヒドロキシ基が存在するため、界面活性剤のような特性を有し、そのアルキル鎖はπ−π相互作用を生じているフタロシアニン環に作用しやすい。しかしながら、前述のように、中心金属が銅であるＣ．Ｉ．ピグメントグリーン３６に比べて、中心金属が亜鉛であるＣ．Ｉ．ピグメントグリーン５８の方が、π−π相互作用が弱い。このため、Ｃ．Ｉ．ピグメントグリーン５８の粒子の表面近傍に存在する分子は、１，２−アルカンジオールにより分子間の相互作用が弱まり、粒子から脱落することによって、顔料粒子が溶解すると考えられる。
【００１７】
しかしながら、Ｃ．Ｉ．ピグメントグリーン５８を構成する分子の水溶性はさほど高くないので、粒子から脱落した後も分子同士がπ−π相互作用しやすい。この際、Ｃ．Ｉ．ピグメントグリーン５８を構成する分子同士は、エネルギー的に安定な同軸方向にフタロシアニン環が重なりあうようにして再結晶化が進行する。再結晶化した顔料粒子の粒径は、元の顔料粒子の粒径よりも大きくなり、インク中の顔料粒子の粒径がばらつく。このため、Ｃ．Ｉ．ピグメントグリーン５８を含有するインクに、インクドットの平滑性を高めることで画像の光沢性向上に有利であるとされていた１，２−アルカンジオールを使用しても、画像の光沢性や写像性が低くなったと考えられる。
【００１８】
そこで本発明者らは、１，２−アルカンジオールによるインクドットの平滑性向上の作用を得ながら、発色性に優れるＣ．Ｉ．ピグメントグリーン５８を用いても、優れた画像の光沢性及び写像性を達成するためのインクの構成についての検討を行った。その結果、Ｃ．Ｉ．ピグメントグリーン５８及び１，２−アルカンジオールを含有するインクに、さらに、五員環構造中にアミド結合を有する特定の水溶性有機溶剤を添加するという本発明の構成に至った。前記特定の水溶性有機溶剤とは、２−ピロリドン、エチレン尿素及びスクシンイミドからなる群より選ばれる少なくとも１種である。本発明においては、１，２−アルカンジオールを水溶性有機溶剤Ａ、２−ピロリドン、エチレン尿素及びスクシンイミドからなる群より選ばれる少なくとも１種を水溶性有機溶剤Ｂと記載する。
【００１９】
Ｃ．Ｉ．ピグメントグリーン５８、水溶性有機溶剤Ａ及びＢを含有するという本発明のインクの構成によって、得られる画像の光沢性及び写像性が向上する理由を、本発明者らは以下のように考えている。水溶性有機溶剤Ｂはいずれも五員環構造中にアミド結合（−ＮＨＣＯ−）を有する化合物であり、五員環を構成する原子とアミド結合を構成する原子が同一平面上に存在している。さらに、水溶性有機溶剤Ｂはアミド結合を有するため、親水性が高い。前述のように、１，２−アルカンジオールにより溶解したＣ．Ｉ．ピグメントグリーン５８の分子同士は、再びπ−π相互作用しようとする。ここで、水溶性有機溶剤Ｂがインク中に存在すると、平面構造を有するＣ．Ｉ．ピグメントグリーン５８の分子間に、同様に平面構造を有する水溶性有機溶剤Ｂが入り込む。このため、Ｃ．Ｉ．ピグメントグリーン５８の結晶成長による粒径増大が抑制される。さらに、水溶性有機溶剤Ｂは親水性が高いため、Ｃ．Ｉ．ピグメントグリーン５８の分子と水溶性有機溶剤Ｂが相互作用した際に、該分子の疎水性を低下させる作用が生じ、該分子同士の接近を抑制し、これによっても粒径増大が抑制されている。このような理由により、Ｃ．Ｉ．ピグメントグリーン５８の顔料粒子の粒径増大が抑制されるため、均一な顔料層が形成され、かつ、インクドットの平滑化が図られることによって、本発明のインクにより記録された画像の光沢性と写像性が向上すると考えられる。
【００２０】
ところで、環構造としては、五員環以外にも六員環などがある。しかしながら、六員環以上の芳香族環にアミド結合などの親水性の置換基を導入しても、水性のインクに適応しうるほど親水性が高くなく、上記のメカニズムが生じない。このため、五員環構造中にアミド結合を有する化合物を使用することが必要である。
【００２１】
＜インクジェット用の水性インク＞
以下、グリーンの色調を有する本発明のインクを構成する各成分について説明する。
【００２２】
（顔料）
本発明のインクに含有させる顔料は、Ｃ．Ｉ．ピグメントグリーン５８である。フタロシアニン骨格にはその外側に位置する４つのベンゼン環に１６個の水素原子が結合しているため、最大１６個までは臭素原子や塩素原子などのハロゲン原子で置換されうる。置換しているハロゲン原子の数が増加するほど、フタロシアニン顔料の色相はシアンからグリーンに近づいていく。そして、臭素原子で置換された場合には、塩素原子で置換された場合よりも、その色相はさらに好ましいイエローを帯びた明度の高いグリーンとなる。本発明のインクに用いるＣ．Ｉ．ピグメントグリーン５８は、１２個以上の臭素原子と２個以上の塩素原子が置換している顔料である。インク中のＣ．Ｉ．ピグメントグリーン５８の含有量（質量％）は、インク全質量を基準として、０．１質量％以上１５．０質量％以下であることが好ましく、１．０質量％以上１０．０質量％以下であることがさらに好ましい。また、本発明のインクには、Ｃ．Ｉ．ピグメントグリーン５８の他に別の顔料が含有されていてもよい。
【００２３】
顔料の分散方式としては、樹脂分散剤を用いる樹脂分散顔料や、顔料粒子の表面にアニオン性基などの親水性基を直接又は他の原子団を介して結合させる自己分散顔料が挙げられる。また、顔料粒子の表面に高分子を含む有機基を化学的に結合させる樹脂結合型の自己分散顔料や、顔料粒子の表面の少なくとも一部を樹脂などで被覆したマイクロカプセル顔料などを用いることもできる。なお、これらの分散方式の異なる顔料を組み合わせて用いてもよい。
【００２４】
本発明においては、分散方式の異なる上記の顔料のなかでも、樹脂分散顔料を用いることが好ましい。樹脂分散剤としては、アニオン性基の作用によって顔料を水性媒体中に分散させることが可能なものが好ましい。分散剤として使用可能な樹脂としては、インクジェット用のインクに使用される従来公知の共重合体やその塩を用いることができる。分散剤として使用する樹脂の酸価は、５０ｍｇＫＯＨ／ｇ以上３００ｍｇＫＯＨ／ｇ以下であることが好ましい。また、分散剤として使用する樹脂の重量平均分子量（Ｍｗ）は、１，０００以上３０，０００以下であることが好ましく、３，０００以上１５，０００以下であることが好ましい。インク中の樹脂分散剤の含有量は、インク中の顔料の含有量に対して、質量比率で０．１倍以上３．０倍以下であることが好ましい。すなわち、樹脂分散剤の含有量（質量％）／顔料の含有量（質量％）＝０．１以上３．０以下であることが好ましい。なお、樹脂分散剤及び顔料の含有量は、インク全質量を基準とした場合における各成分の含有量を意味する。
【００２５】
（水溶性有機溶剤Ａ）
本発明のインクには水溶性有機溶剤Ａとして１，２−アルカンジオールを含有させる。１，２−アルカンジオールのアルキル基の炭素数は５乃至８であることが好ましく、また、アルキル基は直鎖構造であることが好ましい。水溶性有機溶剤Ａの具体例としては、１，２−ブタンジオール、１，２−ペンタンジオール、１，２−ヘキサンジオール、１，２−ヘプタンジオール、１，２−オクタンジオール、１，９−ノナンジオール、１，１０−デカンジオールなどを挙げることができる。これらの水溶性有機溶剤Ａは、一種単独で又は二種以上を組み合わせて用いることができる。水溶性有機溶剤Ａのなかでも、インクの保存安定性に特に優れるため、１，２−ヘキサンジオールが好ましい。
【００２６】
インク中の水溶性有機溶剤Ａの含有量（質量％）は、インク全質量を基準として、１．０質量％以上１５．０質量％以下であることが好ましく、１．０質量％以上１０．０質量％以下であることがさらに好ましい。水溶性有機溶剤Ａの含有量が１．０質量％未満であると、記録媒体へのインクの浸透が不十分となりやすく、画像の光沢性や写像性がやや低下する場合がある。一方、水溶性有機溶剤Ａの含有量が１５．０質量％超であっても、画像の光沢性や写像性を向上させる効果がそれ以上に高くなりにくい。さらには、水溶性有機溶剤Ａの含有量が１５．０質量％超であると、顔料の分散安定性がやや低下する場合がある。
【００２７】
（水溶性有機溶剤Ｂ）
本発明のインクには水溶性有機溶剤Ｂとして、２−ピロリドン、エチレン尿素及びスクシンイミドからなる群より選ばれる少なくとも１種を含有させる。これらの水溶性有機溶剤Ｂは、一種単独で又は二種以上を組み合わせて用いることができる。水溶性有機溶剤Ｂのなかでも、分子構造の平面性が高く、Ｃ．Ｉ．ピグメントグリーン５８の分子同士の隙間により入り込みやすいため、２−ピロリドン及びエチレン尿素の少なくとも一方が好ましい。なお、常温（２５℃）においてエチレン尿素やスクシンイミドは固体である。しかし、これらの化合物を水に溶解した液体は、常温で液体である２−ピロリドンと同様に顔料などの分散媒となるため、本発明においてはエチレン尿素やスクシンイミドも「溶剤」として扱い、水溶性有機溶剤Ｂに含めている。
【００２８】
インク中の水溶性有機溶剤Ｂの含有量（質量％）は、インク全質量を基準として、１．０質量％以上１５．０質量％以下であることが好ましく、１．０質量％以上１０．０質量％以下であることがさらに好ましい。また、インク全質量を基準とした、水溶性有機溶剤Ｂの含有量は、Ｃ．Ｉ．ピグメントグリーン５８の含有量に対する質量比率で１．０倍以上８．０倍以下であることが好ましい。すなわち、水溶性有機溶剤Ｂの含有量／Ｃ．Ｉ.ピグメントグリーン５８の含有量＝１．０倍以上８．０倍以下であることが好ましい。前記質量比率が１．０倍未満であると、Ｃ．Ｉ．ピグメントグリーン５８の再結晶を抑制する作用が十分に発揮されない場合があり、画像の光沢性や写像性がやや低下する場合がある。一方、前記質量比率が８．０倍超であると、Ｃ．Ｉ．ピグメントグリーン５８と相互作用する水溶性有機溶剤Ｂが多くなりすぎて、インクの保存安定性や吐出安定性がやや低下する場合がある。
【００２９】
（水性媒体）
本発明のインクは、水及び水溶性有機溶剤の混合物である水性媒体を含有させることが必要である。水溶性有機溶剤としては、前述の本発明における水溶性有機溶剤Ａ及びＢに加えて、これら以外の水溶性有機溶剤（その他の水溶性有機溶剤）を用いてもよい。インク中の「水溶性有機溶剤Ａ」、「水溶性有機溶剤Ｂ」及び「その他の水溶性有機溶剤」の合計含有量（質量％）は、インク全質量を基準として３．０質量％以上５０．０質量％以下であることが好ましい。その他の水溶性有機溶剤としては、インクジェット用のインクに一般的に使用される公知のものをいずれも用いることができる。また、その他の水溶性有機溶剤は、一種単独で又は二種以上を組み合わせて用いることができる。その他の水溶性有機溶剤の具体例としては、１価アルコール類、水溶性有機溶剤Ａ以外の多価アルコール類、アルキレン基の炭素数が１〜４程度のアルキレングリコール類、数平均分子量２００〜２，０００程度のポリエチレングリコール類、グリコールエーテル類、水溶性有機溶剤Ｂ以外の含窒素化合物類などを挙げることができる。また、水としては脱イオン水（イオン交換水）を用いることが好ましい。インク中の水の含有量（質量％）は、インク全質量を基準として５０．０質量％以上９５．０質量％以下であることが好ましい。
【００３０】
（その他の成分）
本発明のインクには、上記の成分以外にも、必要に応じて、尿素、トリメチロールプロパン、トリメチロールエタンなどの常温で固体の水溶性有機化合物を含有させてもよい。また、上記の成分の他に、さらに必要に応じて、界面活性剤、ｐＨ調整剤、消泡剤、防錆剤、防腐剤、防黴剤、酸化防止剤、還元防止剤、蒸発促進剤、キレート剤などの種々の添加剤をインクに含有させてもよい。特に、インクに含有される水性媒体を記録媒体に速やかに浸透させるために、適量の界面活性剤をインクに含有させることが好ましい。インク中の界面活性剤の含有量（質量％）は、インク全質量を基準として０．０５質量％以上１０．０質量％以下であることが好ましく、０．５質量％以上５．０質量％以下であることがさらに好ましい。
【００３１】
＜インクカートリッジ＞
本発明のインクカートリッジは、インクと、このインクを収容するインク収容部とを備えている。そして、インク収容部に収容されるインクが、上記で説明した本発明のインクである。インクカートリッジの構造としては、インク収容部が、液体のインクを収容するインク収容室、及び負圧によりその内部にインクを保持する負圧発生部材を収容する負圧発生部材収容室で構成されるものが挙げられる。または、液体のインクを収容するインク収容室を持たず、収容量の全量を負圧発生部材により保持する構成のインク収容部であるインクカートリッジであってもよい。さらには、インク収容部と記録ヘッドとを有するように構成された形態のインクカートリッジとしてもよい。
【００３２】
＜インクジェット記録方法＞
本発明のインクジェット記録方法は、インクをインクジェット方式の記録ヘッドから吐出させて、記録媒体に画像を記録する方法である。インクを吐出する方式としては、インクに力学的エネルギーを付与する方式や、インクに熱エネルギーを付与する方式などを挙げることができる。本発明においては、熱エネルギーを利用するインクジェット記録方法を採用することが特に好ましい。本発明のインクを用いること以外、インクジェット記録方法の工程は公知のものとすればよい。なお、本発明においては、記録媒体としては、普通紙やインク受容層を有する記録媒体などの、インク吸収能を有する紙などを用いることが好ましい。
【実施例】
【００３３】
以下、実施例及び比較例を挙げて本発明をさらに具体的に説明するが、本発明は以下に示す実施例によって限定されるものではない。なお、以下、「部」及び「％」とあるのは、特に断りのない限り質量基準である。
【００３４】
＜顔料分散液の調製＞
（顔料分散液Ａ）
Ｃ．Ｉ．ピグメントグリーン５８を１０．０部、樹脂分散剤（固形分換算として）８．０部、及び合計１００部となるようにイオン交換水を混合し、バッチ式縦型サンドミルを用いて３時間分散させた。樹脂分散剤としては、酸価２１０ｍｇＫＯＨ／ｇ、重量平均分子量８，０００のスチレン−アクリル酸共重合体を１０％水酸化ナトリウム水溶液で中和して得られた水溶液を用いた。その後、遠心分離処理を行って粗大粒子を除去し、さらに、ポアサイズが３．０μｍであるセルロースアセテートフィルター（アドバンテック製）にて加圧ろ過した。これにより、顔料の含有量が１０．０％、樹脂分散剤の含有量が８．０％である顔料分散液Ａを調製した。
【００３５】
（顔料分散液Ｂ）
樹脂分散剤として、酸価１７０ｍｇＫＯＨ／ｇ、重量平均分子量８，０００のベンジルアクリレート−ブチルアクリレート−アクリル酸共重合体を用いたこと以外は、前述の顔料分散液Ａと同様の手順で顔料分散液Ｂを調製した。調製した顔料分散液Ｂの顔料の含有量は１０．０％、樹脂分散剤の含有量は８．０％であった。
【００３６】
（顔料分散液Ｃ）
顔料としてＣ．Ｉ．ピグメントグリーン３６を用いたこと以外は、前述の顔料分散液Ａと同様の手順で顔料分散液Ｃを調製した。調製した顔料分散液Ｃの顔料の含有量は１０．０％、樹脂分散剤の含有量は８．０％であった。
【００３７】
＜インクの調製＞
（実施例１〜１６及び比較例１〜１１）
表１−１〜１−３に示す各成分（単位：％）を混合し、十分撹拌した後、ポアサイズが０．８μｍであるセルロースアセテートフィルター（アドバンテック製）にて加圧ろ過して各インクを調製した。なお、表１−１〜１−３中の「アセチレノールＥ１００」は、川研ファインケミカル製のノニオン性界面活性剤の商品名である。
【００３８】
2013124344.tif 000002
【００３９】
2013124344.tif 000003
【００４０】
2013124344.tif 000004
【００４１】
（比較例１２）
特開２００９−２２７８１３号公報（特許文献２）に記載の「インク１」の組成を参考に、比較例１２のインクを調製した。このインクの組成は以下の通りである。
・Ｃ．Ｉ．ピグメントグリーン５８：３．０％
・分散剤（商品名「アジスパーＰＢ８２１」、味の素ファインテクノ製）：１．０％
・バインダー樹脂（重合体１）：５．０％
・ジエチレングリコールジエチルエーテル：５２．０％
・テトラエチレングリコールジメチルエーテル：１９．０％
・γ−ブチロラクトン：５．０％
・δ−バレロラクトン：１５．０％
【００４２】
＜評価＞
上記で得られた各インクについて、以下に示す評価を行った。画像の記録にはインクジェット記録装置（商品名「ＰＩＸＵＳ９９０ｉ」、キヤノン製）を使用した。なお、このインクジェット記録装置は、解像度が１２００ｄｐｉ×２４００ｄｐｉであり、１／６００インチ×１／６００インチの単位領域当たりに２．０ｐＬの体積のインクを８滴付与する条件を、記録デューティ１００％と定義するものである。本発明においては、以下に示す各項目の評価基準で、「Ａ」及び「Ｂ」を許容できるレベル、「Ｃ」を許容できないレベルとした。評価結果を表２に示す。
【００４３】
（光沢性の評価）
得られたインクをインクカートリッジに充填し、上記インクジェット記録装置のレッドインクのポジションに装着した。そして、Ａ４サイズの記録媒体（商品名「キヤノン写真用紙・光沢ゴールド」、キヤノン製）に、記録デューティを１５０％としたベタ画像を記録した。記録したベタ画像について、マイクロヘイズメータープラス（ＢＹＫガートナー製）を用いて２０°光沢度を測定し、光沢性を評価した。評価基準は以下の通りである。
Ａ：２０°光沢度が７０以上であった。
Ｂ：２０°光沢度が６０以上７０未満であった。
Ｃ：２０°光沢度が６０未満であった。
【００４４】
（写像性の評価）
上記の「光沢性の評価」と同様の方法でベタ画像を記録した。記録したベタ画像に対し、１０ｃｍ間隔で配置した２本の蛍光灯を観察光源として使用し、照明角度４５度で２ｍ離れた距離から投影した。ベタ画像に投影された蛍光灯の形状を観察角度４５度で目視観察し、写像性を評価した。評価基準は以下の通りである。
Ａ：２本の蛍光灯が記録物にはっきり投影されていた。
Ｂ：投影された２本の蛍光灯のエッジが若干ぼやけていた。
Ｃ：投影された２本の蛍光灯の境目がわからなかった。
【００４５】
（保存安定性の評価）
得られたインク５０ｍＬを内容積１００ｍＬのポリエチレン製の容器に入れ、密封して、７０℃で３ヶ月保存した。保存前後のインクについて、インク中の顔料の粒径と、インクの粘度を測定し、保存前後におけるこれらの値の変化率を算出した。算出した変化率に基づき、保存安定性を評価した。評価基準は以下の通りである。
Ａ：顔料の粒径及びインクの粘度の変化率がいずれも５％未満であった。
Ｂ：顔料の粒径及びインクの粘度の変化率がいずれも５％以上１０％未満であった。
Ｃ：顔料の粒径及びインクの粘度の変化率のいずれかが１０％以上であった。
【００４６】
（吐出安定性の評価）
得られたインクをインクカートリッジに充填し、上記インクジェット記録装置のレッドインクのポジションに装着した。そして、Ａ４サイズの記録媒体（商品名「キヤノン写真用紙・光沢ゴールド」、キヤノン製）に、記録デューティを５０％としたベタ画像を連続して２０枚分記録した。１枚目と２０枚目のベタ画像の状態を目視で観察し、吐出安定性を評価した。評価基準は以下の通りである。
Ａ：２０枚目のベタ画像に乱れがなかった。
Ｂ：２０枚目のベタ画像に若干の乱れがあった。
Ｃ：１枚目の画像と比べて２０枚目の画像に記録ヨレが目立った。
【００４７】
2013124344.tif 000005